(57)【要約】  【課題】  塗膜転写具のさらなる改良を図り、より使い勝手の良いものとする。  【解決手段】  この塗膜転写具１０は、塗膜転写具本体を構成するケース１２を備えており、ケース１２内には、２つの塗膜転写セット１４Ａ、１４Ｂが設けられている。それぞれのセット１４Ａ、１４Ｂは、主として、基材テープに塗膜を備えた転写テープ１６Ａ，１６Ｂが巻き付けられて、使用時にその転写テープを繰出す繰出リール（繰出部）１８Ａ、１８Ｂと、転写テープ１６Ａ、１６Ｂを被転写面に押圧して塗膜を転写する転写ヘッド１７Ａ、１７Ｂと、転写後の転写テープ１６Ａ、１６Ｂを巻き取る巻取リール（巻取部）２０Ａ、２０Ｂと、を備えている。転写テープ１６Ａと転写テープ１６Ｂは互いに異なる幅の修正用の塗膜を備えた転写テープとなっており、転写箇所に応じて、適宜、選択して使用可能となっている。  【選択図】  図１
2005125518.tif 000002
【特許請求の範囲】
【請求項１】
基材テープに塗膜を備えた転写テープを繰り出す繰出部と、転写テープを被転写面に押圧して塗膜を転写する転写ヘッドと、転写後の転写テープを巻き取る巻取部と、からなる塗膜転写セットを複数個備えて、複数のセットの転写テープの塗膜を被転写面に選択的に転写し得るようにしたことを特徴とする塗膜転写具。
【請求項２】
各塗膜転写セットの転写ヘッドは、塗膜転写具本体の両端部に配置されることを特徴とする請求項１記載の塗膜転写具。
【請求項３】
前記複数の塗膜転写セットは、塗膜転写具本体の両端部を結ぶ仮想線にほぼ沿って、並設されることを特徴とする請求項２記載の塗膜転写具。
【請求項４】
前記複数の塗膜転写セットは、塗膜転写具本体の両端部を結ぶ仮想線に直交する方向に互いに重なり合うようにして配設されることを特徴とする請求項２記載の塗膜転写具。
【請求項５】
異なる塗膜転写セットのリール同士が隣接するようにして配置されることを特徴とする請求項４記載の塗膜転写具。
【請求項６】
前記複数の塗膜転写セットは、塗膜転写具本体の両端部を結ぶ仮想線に直交する方向に沿って並設されることを特徴とする請求項２記載の塗膜転写具。
【発明の詳細な説明】
【技術分野】
【０００１】
本発明は、修正用、接着用、マーカー（ハイライター）用等の任意の塗膜を備えた転写テープを被転写面に転写する塗膜転写具に関する。
【背景技術】
【０００２】
従来、筆記時の誤字の修正のための修正具としては修正液を塗布するタイプのものが知られていたが、このような液体塗布タイプは、塗布液が乾燥するまでに時間がかかり、すぐに修正後の文字を修正箇所の上に筆記することができないという問題があった。
【０００３】
このような不具合を解決するためのものとして任意の塗膜を備えた転写テープを被転写面に転写するタイプの塗膜転写具が使用されるようになっており、さまざまな形状・構造のものが提案されている（例えば、特開２０００−５９６９２号公報、特開平１０−１１９４８９号公報、意匠登録第１０５９８６３号公報、意匠登録第１０８５３０５号公報、意匠登録第１０８９５３６号公報等。）。
さらに、このような塗膜転写具においては、同時に使用される可能性の高いペンなどの筆記具と一体になった塗膜転写具も提案されている（例えば、特開平１０−２５０５６号公報、特表２００３−５１１２６５号公報。）。
【０００４】
【特許文献１】特開２０００−５９６９２号公報
【特許文献２】特開平１０−１１９４８９号公報
【特許文献３】意匠登録第１０５９８６３号公報
【特許文献４】意匠登録第１０８５３０５号公報
【特許文献５】意匠登録第１０８９５３６号公報
【特許文献６】特開平１０−２５０５６号公報
【特許文献７】特表２００３−５１１２６５号公報
【発明の開示】
【発明が解決しようとする課題】
【０００５】
本発明は、塗膜転写具のさらなる改良を図り、より使い勝手の良い塗膜転写具を提供することをその目的とする。
【課題を解決するための手段】
【０００６】
上記目的を達成するために、本発明のうち請求項１記載の発明は、基材テープに塗膜を備えた転写テープを繰り出す繰出部と、転写テープを被転写面に押圧して塗膜を転写する転写ヘッドと、転写後の転写テープを巻き取る巻取部と、からなる塗膜転写セットを複数個備えて、複数のセットの転写テープの塗膜を被転写面に選択的に転写し得るようにしたことを特徴とする。
【０００７】
請求項２記載の発明は、請求項１記載の各塗膜転写セットの転写ヘッドが、塗膜転写具本体の両端部に配置されることを特徴とする。
【０００８】
請求項３記載の発明は、請求項２記載の前記複数の塗膜転写セットが、塗膜転写具本体の両端部を結ぶ仮想線にほぼ沿って、並設されることを特徴とする。
【０００９】
請求項４記載の発明は、請求項２記載の前記複数の塗膜転写セットが、塗膜転写具本体の両端部を結ぶ仮想線に直交する方向に互いに重なり合うようにして配設されることを特徴とする。
【００１０】
請求項５記載の発明は、請求項４記載のものにおいて、異なる塗膜転写セットのリール同士が隣接するようにして配置されることを特徴とする
【００１１】
請求項６記載の発明は、請求項２記載の前記複数の塗膜転写セットが、塗膜転写具本体の両端部を結ぶ仮想線に直交する方向に沿って並設されることを特徴とする。
【発明の効果】
【００１２】
本発明によれば、それぞれセットによって寸法、色、種類等の属性の異なる塗膜を備えた転写テープを繰出し、そして、転写後の転写テープを巻き取ることによって、様々な塗膜を被転写面に転写することができるようになる。
【００１３】
従来は、塗膜としては１つの塗膜転写具に対して１つであるため、例えば被転写箇所の大きさに合致しない塗膜を転写せざる得ず、例えば、行間が狭い文章の一部に太い塗膜を転写すると、隣接する上下の行までにはみ出して転写せざる得ない。同様に、接着するべき箇所からはみ出して余計な部分まで接着用塗膜を転写せざる得ない。
【００１４】
しかしながら、本発明では、例えば、それぞれのセットに幅の異なる塗膜を備えた転写テープを割り当てると、転写するべき箇所の大きさに適合する幅の転写テープを割り当てたセットの転写ヘッドで転写テープを押圧することによって、被転写箇所に適した塗膜を転写することができる。こうして、使い勝手が改善された塗膜転写具とすることができる。
【００１５】
または、例えば、それぞれのセットに色の異なる塗膜を備えた転写テープを割り当てると、転写するべき箇所に適合する色の転写テープを割り当てたセットの転写ヘッドで転写テープを押圧することによって、被転写箇所に適した塗膜を転写することができる。
【００１６】
さらには、すべてのセットで、同じ属性の塗膜を備えた転写テープを備えた場合にあっては、使用期間をセットの数倍とすることができる。
こうして、使い勝手が改善された塗膜転写具とすることができる。
【００１７】
セットによって割り当てる転写テープの組み合わせ例としては、同じ種類の転写テープで幅または色等の異なる転写テープの組み合わせとしてもよいし、または異なる種類の転写テープ（例えば、修正用と接着用、または修正用とマーカー（ハイライタ）用等）の組合わせとしてもよい。尚、この特許の請求の範囲及び明細書の「塗膜転写具本体の両端部を結ぶ仮想線に直交する方向」とは、おおよそ直交するという意味であり、厳密に９０度をのみに限定する意味ではないことは、本発明の趣旨から明らかであろう。
【発明を実施するための最良の形態】
【００１８】
以下、図面を用いて本発明の実施の形態を説明する。
【００１９】
（第１実施形態）
図１ないし図３は、本発明の第１実施形態による塗膜転写具を表す図である。図示したように、この塗膜転写具１０は、塗膜転写具本体を構成するケース１２を備えており、ケース１２内には、２つの塗膜転写セット１４Ａ、１４Ｂが設けられている。それぞれのセット１４Ａ、１４Ｂは、主として、基材テープに塗膜を備えた転写テープ１６Ａ，１６Ｂが巻き付けられて、使用時にその転写テープを繰出す繰出リール（繰出部）１８Ａ、１８Ｂと、転写テープ１６Ａ、１６Ｂを被転写面に押圧して塗膜を転写する転写ヘッド１７Ａ、１７Ｂと、転写後の転写テープ１６Ａ、１６Ｂを巻き取る巻取リール（巻取部）２０Ａ、２０Ｂと、を備えている。また、繰出リール１８Ａ，１８Ｂと巻取リール２０Ａ、２０Ｂは、それぞれ回転可能なるように、それぞれのボス部がケース１２に軸受されている。そして、繰出リール１８Ａと巻取リール２０Ａの間には、これらを連動して回転させるための回転伝達機構２２Ａが、繰出リール１８Ｂと巻取リール２０Ｂとの間には、これらを連動して回転させるための回転伝達機構２２Ｂが設けられる。この例の場合には、回転伝達機構２２Ａは、繰出リール１８Ａと巻取リール２０Ａにそれぞれ一体的に形成されたプーリ部１９Ａとプーリ部２１Ａに渡り、掛け渡された無端状のゴムベルト２４Ａから構成され、回転伝達機構２２Ｂは、繰出リール１８Ｂと巻取リール２０Ｂにそれぞれ一体的に形成されたプーリ部１９Ｂとプーリ部２１Ｂに渡り、掛け渡された無端状のゴムベルト２４Ｂから構成される。これらのゴムベルト２４Ａ、２４Ｂは、繰出リール１８Ａ、１８Ｂに発生した巻き解き方向の回転力を巻取リール２０Ａ、２０Ｂの巻取方向の回転力と、スリップを許容しつつ伝達する役割を果たしている。回転伝達機構２２Ａ、２２Ｂは、公知のようにギアとスリップ機構から構成することも可能である。
【００２０】
この例では、ケース１２は、流線型を帯びた形状をなした長細い形状となっており、その下面は凹状となって、持ちやすい形状となっている。ケース１２は、転写テープ１６Ａ、１６Ｂの残量が外部から分かるように透明であるとよい。
【００２１】
前記転写ヘッド１７Ａ、１７Ｂは、ケース１２に軸支されており、その先端がケース１２の両端から突出しており、この軸支部分を中心として、撓むことができるストリップ状のものとなっている。勿論、このようなストリップタイプのヘッドに限らず、ローラタイプのヘッドとすることも可能である。また、突出する転写ヘッド１７Ａ、１７Ｂを非使用時に保護するべくケース１２の両端部にキャップ２６Ａ、２６Ｂを被着することができる。
この例では、転写テープ１６Ａと転写テープ１６Ｂは互いに異なる幅の修正用の塗膜を備えた転写テープとなっている。
【００２２】
以上のように構成される塗膜転写具１０を使用する際には、ケース１２から突出する転写ヘッド１７Ａ、１７Ｂを適宜選択し、修正箇所が大きい場合には、転写テープ１６Ａを転写するべく、転写ヘッド１７Ａを被転写面に押圧し、修正箇所が小さい場合には、転写テープ１６Ｂを転写するべく、転写ヘッド１７Ｂを被転写面に押圧することができ、これによって修正箇所に適合した塗膜を転写することができて、より使い勝手が向上されている。
【００２３】
（第２実施形態）
次に、図４及び図５は、本発明の第２実施形態による塗膜転写具を表す図である。前実施形態と同様の部品は同一の符号を付す。
この塗膜転写具１０のケース１２内には、２つの塗膜転写セット１４Ａ、１４Ｂが設けられている点で第１実施形態と同じであるが、第１実施形態では、この塗膜転写セット１４Ａ、１４Ｂが、ケース１２の両端を結ぶケース１２の長手方向に沿って並設されていたが、この実施形態では、ケース１２の両端を結ぶケース１２の長手方向に垂直な方向に互いに重なり合うようにして配設されている点で異なっている。従って、それぞれのセット１４Ａ、１４Ｂの繰出リール１８Ａと巻取リール２０Ｂのそれぞれのボスが同軸上にあって相対回転可能に嵌合しており、それぞれがケース１２に軸受されている。同様に、巻取リール２０Ａと繰出リール１８Ｂのそれぞれのボスが同軸上にあって相対回転可能に嵌合しており、それぞれがケース１２に軸受されている。
【００２４】
このように構成される塗膜転写具においても同様に作用させることができる。この例の場合には、塗膜転写セット１４Ａ、１４Ｂが互いに重なり合っているために、ケース１２の両端を結ぶ長さを短くすることができる。
【００２５】
（第３実施形態）
次に、図６は、本発明の第３実施形態による塗膜転写具を表す図である。前実施形態と同様の部品は同一の符号を付す。
この塗膜転写具１０のケース１２内には、２つの塗膜転写セット１４Ａ、１４Ｂが設けられている点で第１実施形態と同じであるが、第１実施形態では、この塗膜転写セット１４Ａ、１４Ｂが、ケース１２の両端を結ぶケース１２の長手方向に沿って並設されていたが、この実施形態では、ケース１２の両端を結ぶケース１２の長手方向と直交する方向に沿って並設されている点で異なっている。
【００２６】
このように構成される塗膜転写具においても同様に作用させることができる。この例の場合にも、ケース１２の両端を結ぶ長さを短くすることができる。
【００２７】
（第４実施形態）
次に、図７は、本発明の第４実施形態による塗膜転写具を表す図である。前実施形態と同様の部品は同一の符号を付す。
この塗膜転写具１０のケース１２内にも、２つの塗膜転写セット１４Ａ、１４Ｂが設けられて、この塗膜転写セット１４Ａ、１４Ｂが、ケース１２の両端を結ぶケース１２の長手方向に沿って並設されている点で第１実施形態と同じであるが、第１実施形態では、各セット１４Ａ、１４Ｂの繰出リール１８Ａ、１８Ｂと巻取リール２０Ａ、２０Ｂとがケース１２の長手方向に沿って並設されていたが、この実施形態では、各セット１４Ａ、１４Ｂの繰出リール１８Ａ、１８Ｂと巻取リール２０Ａ、２０Ｂとがケース１２の両端を結ぶケース１２の長手方向と直交する方向に沿って並設されている点で異なっている。
【００２８】
このように構成される塗膜転写具においても同様に作用させることができる。この例の場合にも、ケース１２の両端を結ぶ長さを短くすることができる。
【００２９】
（第５実施形態）
次に、図８及び図９は、本発明の第５実施形態による塗膜転写具を表す図である。前実施形態と同様の部品は同一の符号を付す。この実施形態は、第２実施形態と類似しているが、異なる点は、第２実施形態の場合には、塗膜転写セット１４Ａ、１４Ｂが互いに重なり合う際に、塗膜転写セット１４Ａ、１４Ｂのそれぞれの回転伝達機構２２Ａ、２２Ｂが内側に、各リール１８（１８Ａ、１８Ｂ）、２０（２０Ａ、２０Ｂ）が外側に配置されていたが、この実施形態では、塗膜転写セット１４Ａ、１４Ｂが互いに重なり合う際に、塗膜転写セット１４Ａ、１４Ｂのそれぞれの回転伝達機構２２Ａ、２２Ｂが外側に、各リール１８（１８Ａ、１８Ｂ）、２０（２０Ａ、２０Ｂ）が内側に配置されており、この場合に、塗膜転写セット１４Ａ、１４Ｂの繰出リール１８Ａと巻取リール２０Ｂ、繰出リール１８Ｂと巻取リール２０Ａが隣接しており、このために、これらの間は例えば共通の仕切板２３によって仕切られるだけとすることができ、これによって、ケース１２の厚みを薄くすることができる。尚、繰出リール１８Ａと巻取リール２０Ｂのそれぞれのボスが同軸上にあって相対回転可能に嵌合しており、それぞれがケース１２に軸受され、巻取リール２０Ａと繰出リール１８Ｂのそれぞれのボスが同軸上にあって相対回転可能に嵌合しており、それぞれがケース１２に軸受されているのは、第２実施形態と同様である。
【００３０】
尚、以上の例では、それぞれの塗膜転写セット１４Ａ、１４Ｂの転写テープ１６Ａ、１６Ｂの塗膜の例として、幅の異なる塗膜の組み合わせとしていたが、これに限るものではなく、色が異なったり、または種類（例えば、修正用と接着用、または修正用とマーカー（ハイライタ）用等）が異なる組み合わせとすることが可能であり、１つの塗膜転写具によって色々と使い分けることができるため、便利である。
【００３１】
尚、以上の実施形態では、塗膜転写具本体を構成するケース１２は一つの部材であったが、これに限るものではなく、複数の部材から構成する事が可能であり、さらには、複数のセットの互いの干渉を防ぐために適宜、セットの間に少なくとも一部仕切り板を設けることも可能である。また、以上の実施形態は、使い捨てのものを前提としていが、これに限るものではなく、ケース１２から各塗膜転写セット１４Ａ、１４Ｂを適宜取り外して、交換するように構成することも可能である。
【００３２】
さらには以上の実施形態では、それぞれ転写ヘッド１７Ａ、１７Ｂは、ケース１２の両端部、即ち、ケース１２の周囲のほぼ対向する位置に配置されていたがこれに限るものではなく、転写ヘッド１７Ａ、１７Ｂを、ケース１２の周囲の対向しない異なる位置に配置することも可能である。その場合、一方の転写ヘッド１７を使用する際に、他方の転写ヘッド１７が邪魔にならないように、それぞれの転写ヘッド１７Ａ、１７Ｂの位置を適度に離間させて、さらに望ましくは、ケース１２を握ったときに各転写ヘッド１７Ａ、１７Ｂを被転写面に押圧するために傾けるケース１２の傾斜角度が、互いに十分異なるように設定するとよい。さらには以上の実施形態では、転写ヘッド１７Ａ、１７Ｂは２つであったが、これに限るものではなく、３つ以上とすることも可能である。この場合も、複数の転写ヘッドの位置を、ケース１２を握ったときにそれぞれの転写ヘッドを被転写面に押圧するために傾けるケース１２の傾斜角度が、互いに十分異なるように設定するとよい。
【図面の簡単な説明】
【００３３】
【図１】本発明の第１実施形態による塗膜転写具を表す正面図である。
【図２】図１の内部構造を表す断面図である。
【図３】図１の内部構造を表す底面方向から見た断面図である。
【図４】本発明の第２実施形態による塗膜転写具の内部構造を表す断面図である。
【図５】図４の内部構造を表す底面方向から見た断面図である。
【図６】本発明の第３実施形態による塗膜転写具の内部構造を表す断面図である。
【図７】本発明の第４実施形態による塗膜転写具の内部構造を表す断面図である。
【図８】本発明の第５実施形態による塗膜転写具の内部構造を表す断面図である。
【図９】図８の内部構造を表す底面方向から見た断面図である。
【符号の説明】
【００３４】
１０  塗膜転写具
１２  ケース（塗膜転写具本体）
１４Ａ、１４Ｂ  塗膜転写セット
１６Ａ、１６Ｂ  転写テープ
１７Ａ、１７Ｂ  転写ヘッド
１８Ａ、１８Ｂ  繰出リール（繰出部）
２０Ａ、２０Ｂ  巻取リール（巻取部）
【図１】
2005125518.tif 000003
【図２】
2005125518.tif 000004
【図３】
2005125518.tif 000005
【図４】
2005125518.tif 000006
【図５】
2005125518.tif 000007
【図６】
2005125518.tif 000008
【図７】
2005125518.tif 000009
【図８】
2005125518.tif 000010
【図９】
2005125518.tif 000011
【手続補正書】
【提出日】平成16年6月23日(2004.6.23)
【手続補正１】
【補正対象書類名】明細書
【補正対象項目名】０００３
【補正方法】変更
【補正の内容】
【０００３】
このような不具合を解決するためのものとして任意の塗膜を備えた転写テープを被転写面に転写するタイプの塗膜転写具が使用されるようになっており、さまざまな形状・構造のものが提案されている（例えば、特開２００２−５９６９２号公報、特開平１０−１１９４８９号公報、意匠登録第１０５９８６３号公報、意匠登録第１０８５３０５号公報、意匠登録第１０８９５３６号公報等。）。
さらに、このような塗膜転写具においては、同時に使用される可能性の高いペンなどの筆記具と一体になった塗膜転写具も提案されている（例えば、特開平１０−２５０５６号公報、特表２００３−５１１２６５号公報。）。
【手続補正２】
【補正対象書類名】明細書
【補正対象項目名】０００４
【補正方法】変更
【補正の内容】
【０００４】
【特許文献１】特開２００２−５９６９２号公報
【特許文献２】特開平１０−１１９４８９号公報
【特許文献３】意匠登録第１０５９８６３号公報
【特許文献４】意匠登録第１０８５３０５号公報
【特許文献５】意匠登録第１０８９５３６号公報
【特許文献６】特開平１０−２５０５６号公報
【特許文献７】特表２００３−５１１２６５号公報